(57)【要約】【課題】小アンチや階段枠の掴み金具と干渉せずに長辺方向に連設して掛け止めることが可能であるともに、ケレン等にも耐え得る耐久性を備えた隙間塞ぎプレート付き床付き布枠及び枠組足場を提供する。【解決手段】床材と枠材とが一体となった平面視長方形状の一対の布枠本体２と、これらの布枠本体２の長辺方向の両端部を繋ぎ止める一対の梁材３と、を備え、これらの梁材３の一部が長辺方向に張り出しているか、又は前記梁材３に取り付けられて長辺方向に張り出している隙間塞ぎプレートを有する隙間塞ぎプレート付き床付き布枠において、隙間塞ぎプレート（梁材３）に、上方からの荷重に対抗するための斜面部３１を設け、この斜面部３１に、連設される他部材の掴み金物４を避けるための凹部又は切欠部３１ａを設ける。【選択図】図５
0003216602.tif 000002
【実用新案登録請求の範囲】
【請求項１】
床材と枠材とが一体となった平面視長方形状の一対の布枠本体と、これらの布枠本体の長辺方向の両端部を繋ぎ止める一対の梁材と、を備え、これらの梁材の一部が長辺方向に張り出しているか、又は前記梁材に取り付けられて長辺方向に張り出している隙間塞ぎプレートを有する隙間塞ぎプレート付き床付き布枠であって、
前記隙間塞ぎプレートは、上方からの荷重に対抗するための斜面部を有し、この斜面部には、連設される他部材の掴み金物を避けるための凹部又は切欠部が設けられていること
を特徴とする隙間塞ぎプレート付き床付き布枠。
【請求項２】
前記他部材は、前記布枠本体が１つの床付き布枠であり、
前記凹部又は切欠部は、前記布枠本体が１つの床付き布枠を幅方向の一端寄りに寄せた場合と、他端寄り寄せた場合の２通りの位置に応じた２か所に設けられていること
を特徴とする請求項１に記載の隙間塞ぎプレート付き床付き布枠。
【請求項３】
請求項１又は２に記載の隙間塞ぎプレート付き床付き布枠を有すること
を特徴とする枠組足場。
【考案の詳細な説明】
【技術分野】
【０００１】
本考案は、枠組足場に関し、詳しくは、隙間塞ぎのプレートが設けられた床付き布枠に関する。
【背景技術】
【０００２】
従来、建設現場等で仮設足場として組み立てられる枠組足場が知られている。この種の枠組足場は、鳥居型の鋼製の建枠に足場板と補強枠が一体となった鋼製の床付き布枠が架け渡されて、所定高さに達するまで順次上方へ複数段組み立てられるものである。
【０００３】
また、枠組足場の床付き布枠では、下段の足場上の作業員に工具や資材等の物が落下することを防止するため、労働安全衛生法及びその関連規定において、作業床となる足場板（床付き布枠）にできた隙間を所定範囲（３ｃｍ以内）にすることが定められている。このため、別途これらの隙間を塞ぐ作業手間を省力化することを目的として、隙間塞ぎプレート付き床付き布枠が開発されるに至った。
【０００４】
一方、幅が９００ｍｍの建枠を使用して枠組足場を組み立てる場合は、呼び幅６００ｍｍ（実質５００ｍｍ程度）の床付き布枠（以下、大アンチという）と、呼び幅３００ｍｍ（実質２４０ｍｍ程度）の床付き布枠（以下、小アンチという）を併用して組み立てる必要がある。このため、図９に示すように、強度上強い大アンチを躯体側に設置したいが、躯体側に作業床がない箇所ができないように階段は外側に設置したいという要望がある場合など、足場計画の都合上大アンチと小アンチや階段枠を同一建枠に架け渡して長辺方向へ連設する場合がある。
【０００５】
このような場合、隙間塞ぎプレート付きの大アンチでは、隙間塞ぎのプレートに小アンチや階段枠の掴み金具が当たってしまい、大アンチと小アンチを同一建枠に架け渡して連設することができないという問題が生じる。
【０００６】
このような問題を解決するために、例えば、特許文献１には、上側フランジと下側フランジとウェブから形成される梁材の幅方向の外側に、梁材と平行に突出部材を接合するとともに、突出部材の幅方向の外側の中央部に切欠部又は凹部を設けてなることを特徴とする床付き布枠が開示されている（特許文献１の請求項１、明細書の段落［００７７］〜［００８２］、図面の図１２〜図１５等参照）。
【０００７】
しかし、特許文献１に記載の床付き布枠は、大アンチと小アンチを同一建枠に架け渡さない場合は、床面の隙間塞ぎ用の突出部材に、切欠部又は凹部が形成されていることになり、別途何らかの方法でこの切欠部等を塞ぐ必要があるという問題があった。
【０００８】
また、特許文献２には、隙間塞ぎプレート付き床付き布枠である足場板において、隙間塞ぎプレート部分を掴み金物をかわすように上方へ持ち上げるとともに、先端部分を鋭角に折り返して閉塞した「足場板の意匠」が開示されている（特許文献２の意匠に係る物品の説明、使用状態を示す参考図１，使用状態を示す参考図２等参照）。
【０００９】
しかし、特許文献２に記載の足場板の意匠は、隙間塞ぎプレートの先端部分である鋭角に折り曲げて２枚重ねとした部分（特許文献２に記載の閉塞部材）が強度的に弱く、その部分が折れ曲がり易いという問題があった。特に、枠組足場は、リース会社や資材センターにおいて、コンクリート等の付着物を取り除くためケレン清掃して繰り返し使用されるものであり、折れ曲がり易い箇所があると耐久性に問題が生じる。
【００１０】
このような問題の対処方法としては、はね出し部分である鋭角に折り曲げて２枚重ねとした部分を短くすることが考えれる。しかし、そうすると掴み金具と隙間塞ぎプレートが接触してしまい小アンチ等を連接できなくなってしまうという問題が発生する。
【先行技術文献】
【特許文献】
【００１１】
【特許文献１】特開２００８−２３１８０４号公報
【特許文献２】意匠登録第１５５８０３０号公報
【考案の概要】
【考案が解決しようとする課題】
【００１２】
そこで、本考案は、前述した問題点に鑑みて案出されたものであり、その目的とすると
ころは、幅の狭い床付き布枠（小アンチ）や階段枠の掴み金具と干渉させずに長辺方向に連設して掛け止めることが可能であるともに、ケレン清掃等して繰り返しの使用にも耐え得る耐久性を備えた隙間塞ぎプレート付き床付き布枠及び枠組足場を提供することにある。
【課題を解決するための手段】
【００１３】
請求項１に記載の隙間塞ぎプレート付き床付き布枠は、床材と枠材とが一体となった平面視長方形状の一対の布枠本体と、これらの布枠本体の長辺方向の両端部を繋ぎ止める一対の梁材と、を備え、これらの梁材の一部が長辺方向に張り出しているか、又は前記梁材に取り付けられて長辺方向に張り出している隙間塞ぎプレートを有する隙間塞ぎプレート付き床付き布枠であって、前記隙間塞ぎプレートは、上方からの荷重に対抗するための斜面部を有し、この斜面部には、連設される他部材の掴み金物を避けるための凹部又は切欠部が設けられていることを特徴とする。
【００１４】
請求項２に記載の隙間塞ぎプレート付き床付き布枠は、前記他部材は、前記布枠本体が１つの床付き布枠であり、前記凹部又は切欠部は、前記布枠本体が１つの床付き布枠を幅方向の一端寄りに寄せた場合と、他端寄り寄せた場合の２通りの位置に応じた２か所に設けられていることを特徴とする。
【００１５】
請求項３に記載の枠組足場は、請求項１又は２に記載の隙間塞ぎプレート付き床付き布枠を有することを特徴とする。
【考案の効果】
【００１６】
請求項１又は２に記載の隙間塞ぎプレート付き床付き布枠によれば、布枠本体が１つの幅の狭い床付き布枠（小アンチ）や階段枠の掴み金具と干渉せずに、同一の縦枠に掛け止めて、これらを連設することができる。それに加え、請求項１又は２に記載の隙間塞ぎプレート付き床付き布枠によれば、隙間塞ぎプレートが斜面部を有しているので、リース会社や資材センターにおいて、コンクリート等の付着物を取り除くために繰り返し何度もケレン清掃しても変形しない耐久性を発揮することができる。
【００１７】
特に、請求項２に記載の隙間塞ぎプレート付き床付き布枠によれば、小アンチの位置をある程度特定して隣接する他の部材の掴み金具を避ける凹部や切欠部を設けることができる。このため、位置が不確定な場合の余裕を持たせた大きな凹部や切欠部とする必要がなくなり、凹部や切欠部を必要最小限の大きさとすることができる。このため、繰り返し使用により梁材に求められる強度の確保を達成することが容易となる。
【００１８】
また、請求項３に記載の枠組足場によれば、隙間塞ぎプレート付き床付き布枠により、床材の隙間を塞ぐ作業手間を省力化することができるとともに、大アンチを構造物側に設けているか否かにかかわらず、階段枠の位置を自由に選定することができる。このため、足場計画の自由度が向上するとともに、枠組足場での作業効率も向上する。
【図面の簡単な説明】
【００１９】
【図１】本考案の実施形態に係る隙間塞ぎプレート付き床付き布枠を示す図面であり、（ａ）が短手方向に水平に見た正面図、（ｂ）が平面図、（ｃ）が底面図である。
【図２】図１のＡ−Ａ線断面図である。
【図３】図１のＢ部拡大図である。
【図４】同上の隙間塞ぎプレート付き床付き布枠の長手方向端部付近を示す部分拡大平面図である。
【図５】同上の隙間塞ぎプレート付き床付き布枠の斜面部の切欠部と掴み金具との取り合いを示す説明図である。
【図６】同上の隙間塞ぎプレート付き床付き布枠である大アンチと小アンチの連設部分を示す部分拡大平面図である。
【図７】変形例１に係る梁材の切欠部と掴み金具との取り合いを示す説明図である。
【図８】変形例２に係る梁材の切欠部と掴み金具との取り合いを示す説明図である。
【図９】従来の枠組足場において、大アンチと小アンチを長辺方向に沿って連接する場合を示す平面図である。
【考案を実施するための形態】
【００２０】
以下、本考案に係る隙間塞ぎプレート付き床付き布枠の実施形態について、図面を参照しながら詳細に説明する。
【００２１】
図１〜図６を用いて、本考案の実施形態に係る隙間塞ぎプレート付き床付き布枠１（以下、単に床付き布枠という）について説明する。図１は、床付き布枠１を示す図面であり、（ａ）が短手方向に水平に見た正面図、（ｂ）が平面図、（ｃ）が底面図である。また、図２は、図１のＡ−Ａ線断面図であり、図３は、図１のＢ部拡大図である。そして、図４は、床付き布枠１の長手方向端部付近を示す部分拡大平面図である。
【００２２】
本実施形態に係る床付き布枠１は、建設現場等で枠組足場の構成部材として、一対の鋼製の筋違い（ブレース）で連結された鳥居型の鋼製の建枠間に架け渡されて用いられる鋼製の床付き布枠である。
【００２３】
図１に示すように、本実施形態に係る床付き布枠１は、床材と枠材とが一体となった平面視長方形状の一対の布枠本体２，２と、これら一対の布枠本体２，２の長辺方向（長手方向）の両端部を繋ぎ止める一対の梁材３，３を備えている。
【００２４】
また、図２に示すように、この床付き布枠１は、長辺同士が隣り合わせとなるように布枠本体２，２同士が並設された、呼び幅６００ｍｍ（実質５００ｍｍ程度）のいわゆる大アンチである。
【００２５】
そして、これら並設された布枠本体２，２の四隅には、図１に示すように、建枠に掛け止めるための掴み金具４（４’）が長手方向の端部から外側へ向け突設されている。
【００２６】
（布枠本体）
布枠本体２は、図１，図２に示すように、床材である上フランジ２０と、枠材である下フランジ２１とウェブ２２など、からなる断面コの字状の部材であり、平面視で長方形状となっている。
【００２７】
また、この布枠本体２は、剛性を向上させるための断面Ｖ字状の複数条（図示形態では３条）のＶ字溝２３が長辺方向に沿って形成されているとともに、滑り止めのために球面状の多数の突起２４が形成されている。
【００２８】
さらに、布枠本体２には、撓みを抑制するとともに、面外変形を防止する補剛材５が、略等間隔に２か所取り付けられている。
【００２９】
（梁材）
梁材３，３は、鋼板から折曲げ加工されて形成された左右一対の部材であり、布枠本体２，２の長辺方向（長手方向）の両端部を繋ぎ止める機能と、一部が長辺方向に張り出して床面の隙間を塞ぐ隙間塞ぎプレートとしての機能を併せ持つ部材である。
【００３０】
この梁材３は、図３に示すように、前述の布枠本体２の上面に一端が固定された上面部３０と、この上面部３０と接続して下方へ傾斜する斜面部３１と、この斜面部３１と接続して一端が布枠本体２の下面に固定された底面部３２など、から構成されている。
【００３１】
また、上面部３０と斜面部３１とは、先端部分が鋭角に折り返されて鋼板同士が重なり合った閉塞部３３となっているとともに、底面部３２と隣接する斜面部３１の下方は、鉛直に立ち上がった立上部３４となっている。
【００３２】
なお、この上面部３０が作業床に形成された隙間を塞ぐ隙間塞ぎプレートとして機能し、斜面部３１が、上方からの荷重に対抗する斜材として上面部３０及び閉塞部３３が下方へ折れ曲がることを防止する機能を有している。
【００３３】
また、図３に示すように、上面部３０には、閉塞部３３へ続く部分が傾斜面３０ａとなっており、先端部分である閉塞部３３が上方へ持ち上がっている。このため、連設される小アンチ１’の掴み金具４をかわしやすくなっている（図５も参照）。
【００３４】
さらに、図４に示すように、上面部３０には、滑り止めのための平面視Ｌ字状の左右一対のＬ字突起３０ｂと、半球状の３つの球面突起３０ｃが形成されている。また、前述の布枠本体２のＶ字溝２３と続く、補強リブ３０ｄも形成されている。
【００３５】
そして、図１（ｃ），図３に示すように、斜面部３１には、本考案の特徴部分である切欠部３１ａが形成されている。図５は、床付き布枠１の梁材３の切欠部３１ａと連接する小アンチ１’の掴み金具４との取り合いを示す説明図である。また、図６は、床付き布枠１（大アンチ）と小アンチ１’の連設部分を示す部分拡大平面図である。
【００３６】
図５、図６に示すように、切欠部３１ａは、矩形状の開口であり、布枠本体２が１つの床付き布枠である小アンチ１’の掴み金具４と干渉することを避けるためのものである。また、図６に示すように、切欠部３１ａは、小アンチ１’を幅方向の一端（図示形態では下端）寄りに寄せた場合と、他端（図示形態では上端）寄り寄せた場合の２通りの位置に応じた２か所に設けられている。このため、位置が不確定の場合の余裕を持たせた大きな開口とする必要がなく、切欠部３１ａを必要最小限の大きさにすることができる。このため、梁材３（隙間塞ぎプレート）に求められる繰り返しの使用やケレン清掃しても変形しない強度の確保を達成することが容易となる。
【００３７】
なお、斜面部３１に開口である切欠部３１ａが形成されるものを例示して説明したが、小アンチ１’の掴み金具４との干渉を避けられるものであれば、開口に限られず、凹部であっても構わない。その場合でも、前記作用効果を奏するのは明らかである。
【００３８】
（掴み金具）
掴み金具４は、図３に示すように、厚手の金属プレートからなる掴み金具本体４０と、建枠から掴み金具４が外れて床付き布枠１が落下することを防止する落下防止片４１などから構成されている。また、図３、図４に示すように、掴み金具本体４０は、リベットＲ１，Ｒ２で布枠本体２の長辺方向の端部側面に止付けられている。そして、この掴み金具本体４０には、建枠に掛け止める円弧状の係止部４２が形成されている。
【００３９】
また、落下防止片４１には、円弧状の長孔であり、下部が二股に分かれた揺動孔４３が形成されている。落下防止片４１は、この揺動孔４３に挿通された上下２本のリベット４４，４５で掴み金具本体４０に止付けられている。このため、図５に示すように、落下防止片４１は、掛け止める前に手で上にあげておき、建枠のパイプに係止部４２が当接すると、建枠のパイプの円周に沿って自重で落下して揺動し、掛け止められることとなる。
【００４０】
なお、掴み金具４は、図４に示すように、前述の掴み金具本体４０が直線状となったものと、折れ曲がって内側へ入り込んだ金具本体４０’の２種類の掴み金具がある。このため、これらの２種類の掴み金具４，４’を対角線状に配置することで、掴み金具４，４’同士が干渉せずに、大アンチ同士、大アンチと小ハンチを長辺方向に連設することできるようになっている。
【００４１】
以上説明した本考案の実施形態に係る隙間塞ぎプレート付き床付き布枠１によれば、切欠部３１ａが形成されているので、小アンチ１’や階段枠などの他部材の掴み金具４と干渉せずに同一縦枠に掛け止めて、これらを連設することができる。
【００４２】
また、床付き布枠１によれば、特許文献２の梁材と比べて、閉塞部３３が圧倒的に短く、強度的な弱点部分となる切欠部３１ａも斜面部３１の一部にしか形成されていない。このため、隙間塞ぎプレートである梁材３が、上方からの荷重に強いものとなっている。よって、床付き布枠１は、リース会社や資材センターにおいて、コンクリート等の付着物を取り除くために繰り返し何度もケレン清掃しても変形しない耐久性を発揮することができる。
【００４３】
その上、床付き布枠１によれば、特許文献１に記載の床付き布枠のように他部材の掴み金具４と干渉しない凹部や切欠部３１ａを設けても、床面に隙間ができない。このため、小アンチ１’を連設しない場合でも別途隙間を塞ぐ面倒な作業が発生しない。
【００４４】
それに加え、床付き布枠１によれば、切欠部３１ａは、小アンチ１’を幅方向の一端寄りに寄せた場合と、他端寄り寄せた場合の２通りの位置に応じた２か所に設けられている。このため、切欠部３１ａを余裕を持たせた大きな開口とする必要がなくなり、必要最小限の大きさにすることができる。このため、隙間塞ぎプレートを兼用する梁材３に求められる強度の確保を達成することが容易となる。
【００４５】
次に、図７、図８を用いて、梁材３の変形例について主に梁材３との相違点を説明する。図７は、変形例１に係る梁材３’の切欠部３１ａと掴み金具４との取り合いを示す説明図であり、図８は、変形例２に係る梁材３”の切欠部３１ａと掴み金具４との取り合いを示す説明図である。
【００４６】
図７に示すように、変形例１に係る梁材３’が、前述の梁材３と相違する点は、上面部が平面で、鉛直断面上直線状となっている点だけであり、斜面部３１及びその斜面部３１に形成された切欠部３１ａは梁材３と同様となっている。
【００４７】
また、図８に示すように、変形例２に係る梁材３”は、変形例１に係る梁材３’の立上部がなくなったような形状となっている。しかし、斜面部３１及びその斜面部３１に形成された切欠部３１ａは、梁材３及び梁材３’と同様となっている。
【００４８】
要するに、本考案に係る隙間塞ぎプレートを兼用する梁材は、上方からの荷重に対抗するための斜材としての斜面部３１を有し、この斜面部３１に小アンチ１’の掴み金具４との干渉を避ける切欠部３１ａが形成されていればよい。
【００４９】
以上、本考案の実施形態の例について詳細に説明したが、上述した実施形態は、何れも本考案を実施するにあたっての具体化の例を示したものに過ぎず、これらによって本考案の技術的範囲が限定的に解釈されてはならないものである。
【００５０】
特に、斜面部３１に開口である切欠部３１ａが形成されるものを例示して説明したが、小アンチ１’の掴み金具４との干渉を避けられるものであれば、開口に限られず、凹部であても構わない。その場合でも、前記作用効果を奏するのは明らかである。
【符号の説明】
【００５１】
１：床付き布枠（隙間塞ぎプレート付き床付き布枠）
１’：小ハンチ（布枠本体が１つの隙間塞ぎプレート付き床付き布枠）
２：布枠本体
２０：上フランジ
２１：下フランジ
２２：ウェブ
２３：Ｖ字溝
２４：突起
３：梁材（隙間塞ぎプレート）
３’：変形例１に係る梁材（隙間塞ぎプレート）
３”：変形例２に係る梁材（隙間塞ぎプレート）
３０：上面部
３０ａ：傾斜面
３０ｂ：Ｌ字突起
３０ｃ：球面突起
３０ｄ：補強リブ
３１：斜面部
３１ａ：切欠部
３２：底面部
３３：閉塞部
３４：立上部
４，４’：掴み金具
４０，４０’：金具本体
４１：落下防止片
４２：係止部
４３：揺動孔
４４，４５：リベット
５：補剛材
Ｒ１，Ｒ２：リベット
【図１】
0003216602.tif 000003
【図２】
0003216602.tif 000004
【図３】
0003216602.tif 000005
【図４】
0003216602.tif 000006
【図５】
0003216602.tif 000007
【図６】
0003216602.tif 000008
【図７】
0003216602.tif 000009
【図８】
0003216602.tif 000010
【図９】
0003216602.tif 000011